(57)【要約】【課題】平面らせん形蛍光ランプの着脱を容易かつ安全に行うことができ、かつ、光効率を低下させることなく外観意匠性を向上させることのできる照明器具を提供する。【解決手段】発光管２１を保持するランプホルダ４０を設けたので、発光管２１を補強することができる。また、ランプホルダ４０は、把持可能な取手部４１付きなので、平面らせん形蛍光ランプ２０の着脱時には取手部４１を把持して作業でき、作業時に発光管２１に負荷をかけて破損するのを防止して作業性を改善することができる。また、ランプホルダ４０を透明の材質で形成したり、あるいは、ランプホルダ４０Ｂを着脱可能とすることにより、光効率を低下させるのを防止することができるとともに、外観意匠性を害しない。【選択図】図１
2010003561.tif 000002
【特許請求の範囲】
【請求項１】
平面らせん形状をした発光管を有する平面らせん形蛍光ランプと、前記平面らせん形蛍光ランプを駆動させる点灯装置と、前記平面らせん形蛍光ランプおよび前記点灯装置を保持する器具本体と、を備えた照明器具であって、
前記発光管を保持するとともに把持可能な取手部付きのランプホルダを設けたことを特徴とする照明器具。
【請求項２】
前記取手部付きのランプホルダが、透明の材料により形成されていることを特徴とする請求項１記載の照明器具。
【請求項３】
前記取手部付きのランプホルダが、前記平面らせん形蛍光ランプから着脱可能であることを特徴とする請求項１または２記載の照明器具。
【発明の詳細な説明】
【技術分野】
【０００１】
本発明は、平面らせん形蛍光ランプを用いる照明器具に関するものである。
【背景技術】
【０００２】
従来より、平面らせん形蛍光ランプを用いる照明器具が知られている。（例えば特許文献１参照）。
図４に示すように、特許文献１に記載の照明器具に用いられる平面らせん形蛍光ランプ１００は、発光管１０１が、中央部１０１ａを中心として略一平面上で渦巻状に旋回された二重渦巻き形状を有している。そして、略対向して離れた両端部１０２ａ、１０２ｂ間には、発光管１０１を保持するランプホルダであるブリッジ１０３が設けられており、ブリッジ１０３の中央に口金１０４が設けられている。また、口金１０４から発光管１０１の隙間を通って、一対の把持取手１０５、１０５が口金１０４と反対側に突出して設けられている。
従って、平面らせん形蛍光ランプ１００の装着時には、作業者は把持取手１０５、１０５を持って、口金１０４を器具本体（図示省略）に装着する。
【特許文献１】特開２００７−２７３３３０号公報（第２図）
【発明の開示】
【発明が解決しようとする課題】
【０００３】
しかしながら、前述した特許文献１に記載の平面らせん形蛍光ランプ１００では、平面らせん形蛍光ランプ１００の着脱の際に直接発光管１０１を把持する必要がないため、作業が容易になるとともに作業時に発光管１０１に負荷をかけて破損するのを防止することができるものの、照射方向に把持取手１０５、１０５が突出しているので、光効率が低下するとともに、外観意匠性を害するという問題があった。
【０００４】
本発明は、従来の問題を解決するためになされたもので、平面らせん形蛍光ランプの着脱を容易かつ安全に行うことができ、かつ、光効率を低下させることなく外観意匠性を向上させることのできる照明器具を提供することを目的とする。
【課題を解決するための手段】
【０００５】
本発明の照明器具は、平面らせん形状をした発光管を有する平面らせん形蛍光ランプと、前記平面らせん形蛍光ランプを駆動させる点灯装置と、前記平面らせん形蛍光ランプおよび前記点灯装置を保持する器具本体と、を備えた照明器具であって、前記発光管を保持するとともに把持可能な取手部付きのランプホルダを設けた構成を有している。
【０００６】
この構成により、発光管を保持するランプホルダを設けたので、発光管を補強することができる。また、ランプホルダは、把持可能な取手部付きなので、平面らせん形蛍光ランプの着脱時には取手部を把持して作業でき、作業時に発光管に負荷をかけて破損するのを防止して作業性を改善することができる。
【０００７】
また、本発明の照明器具は、前記取手部付きのランプホルダが、透明の材料により形成されている構成を有している。
【０００８】
この構成により、平面らせん形蛍光ランプの照射側に設けられている取手部付のランプホルダが透明なので、光効率を低下させるのを防止することができる。また、透明なので、外観意匠性を害しない。
【０００９】
さらに、本発明の照明器具は、取手部付きのランプホルダが、前記平面らせん形蛍光ランプから着脱可能である構成を有している。
【００１０】
この構成により、平面らせん形蛍光ランプの着脱時には、取手部付のランプホルダを平面らせん形蛍光ランプに取付けることができるので、取手部を把持して作業でき、作業時に発光管に負荷をかけて破損するのを防止して作業性を改善することができる。また、作業後には、取手部付のランプホルダを平面らせん形蛍光ランプから取り外すことができるので、外観意匠性を害しない。
【発明の効果】
【００１１】
本発明は、発光管を保持するランプホルダを設けたので、発光管を補強することができる。また、ランプホルダは、把持可能な取手部付きなので、平面らせん形蛍光ランプの着脱時には取手部を把持して作業でき、作業時に発光管に負荷をかけて破損するのを防止して作業性を改善することができるという効果を有する照明器具を提供することができるものである。
【発明を実施するための最良の形態】
【００１２】
以下、本発明の実施の形態の照明器具について、図面を用いて説明する。
図１は本発明の第１の実施の形態にかかる照明器具をしめす斜視図、図２（Ａ）は平面らせん形蛍光ランプの平面図、図２（Ｂ）は平面らせん形蛍光ランプの側面図である。
【００１３】
図１に示すように、本発明の第１実施形態にかかる照明器具１０は、平面らせん形状をした発光管２１を有する平面らせん形蛍光ランプ２０と、平面らせん形蛍光ランプ２０を駆動させる点灯装置３１と、平面らせん形蛍光ランプ２０および点灯装置３１を搭載する器具本体３０と、を備えている。なお、図示はしないが、器具本体３０には、平面らせん形蛍光ランプ２０を覆う透過カバーが着脱可能に取付けられる。
【００１４】
器具本体３０は、例えば円板状のベースプレート３２を有しており、ベースプレート３２の上面（図１において上面）には、点灯装置３１が取付けられている。また、ベースプレート３２上面の外周部には、一対のソケット３３、３３が設けられており、点灯装置３１に接続されて、平面らせん形蛍光灯２０を点灯する電力が供給されている。
【００１５】
図２に示すように、平面らせん形蛍光ランプ２０は、１本の発光管２１が、管中央部２２を中心として略一平面上で渦巻状に旋回された二重渦巻き形状を有している。発光管２１の略対向して離れた位置にある両端部には、各々口金２３が設けられ、各口金２３からは１対のランプピン２４、２４が突出して設けられている。このランプピン２４をソケット３３に接続することにより、平面らせん形蛍光ランプ２０を器具本体３０に保持するとともに、電力の供給を行う。
【００１６】
平面らせん形蛍光ランプ２０の照射側には、発光管２１の両端部を連結するランプホルダ４０が取付けられており、ランプホルダ４０の両端部には、発光管２１を把持する発光管把持部４２が設けられている。発光管把持部４２は、例えば、発光管２１の全周を把持する環状のものが可能だが、少なくとも発光管２１の外周の半分以上を把持するものであれば良い。また、ランプホルダ４０の中央部には、取手部４１が照射方向に突出して設けられており、取手部４１を把持することにより、平面らせん形蛍光ランプ２０を把持することができるようになっている。なお、ランプホルダ４０は、透明の材質で形成するのが望ましい。また、ランプホルダ４０は、発光管２１の端部を把持するため、耐熱性のある材質で形成するのが望ましい。
【００１７】
従って、平面らせん形蛍光ランプ２０を器具本体３０に装着する際には、作業者はランプホルダ４０の取手部４１を把持して、ランプピン２４をソケット３３に位置決めする。そして、取手部４１を持って平面らせん形蛍光ランプ２０を回転させることによりランプピン２４をソケット３３に装着する。あるいは、ランプピン２４を押し込むタイプのソケット３３では、ランプピン２４をソケット３３に押し込んで、脱落防止レバーにより、平面らせん形蛍光ランプ２０の脱落を防止する。
【００１８】
以上、説明した、本発明の第１実施形態にかかる照明器具１０によれば、発光管２１を保持するランプホルダ４０を設けたので、発光管２１を補強することができる。また、ランプホルダ４０は、把持可能な取手部４１が付いているので、平面らせん形蛍光ランプ２０の着脱時には取手部４１を把持して作業でき、作業時に発光管２１に負荷をかけて破損するのを防止して作業性を改善することができる。
また、平面らせん形蛍光ランプ２０の照射側に設けられている取手部４１付きのランプホルダ４０を透明の材質で形成したので、光効率を低下させるのを防止することができる。また、透明なので、外観意匠性を害しない。
【００１９】
次に、本発明の第２実施形態にかかる照明器具を、図面に基づいて説明する。
図３（Ａ）は第２実施形態にかかる平面らせん形蛍光ランプの平面図、図２（Ｂ）は同じく平面らせん形蛍光ランプの側面図である。なお、前述した第１実施形態にかかる照明器具と共通する部位には同じ符号を付して、重複する説明を省略することとする。
【００２０】
図３に示すように、本発明の第２実施形態にかかる照明器具１０Ｂでは、平面らせん形蛍光ランプ２０Ｂに設けるランプホルダ４０Ｂを、着脱可能とした。ランプホルダ４０Ｂの両端に設ける発光管把持部４２Ｂとしては、例えば、発光管２１の外周の少なくとも半周以上を把持可能な弾性部材により形成することができる。あるいは、半周以下の円弧状の部材を周方向へスライドさせることにより、ロックするようにすることもできる。
【００２１】
従って、平面らせん形蛍光ランプ２０Ｂを器具本体３０に装着する際には、作業者はランプホルダ４０Ｂの取手部４１を把持して、ランプピン２４をソケット３３に位置決めし、ソケット３３に装着する。そして、装着作業が完了したら、ランプホルダ４０Ｂを平面らせん形蛍光ランプ２０Ｂから取り外す。
【００２２】
以上、説明した本発明の第２実施形態にかかる照明器具１０Ｂによれば、取手部４１付きのランプホルダ４０Ｂを、平面らせん形蛍光ランプ２０に対して着脱可能としたので、平面らせん形蛍光ランプ２０Ｂの着脱時には、取手部４１付のランプホルダ４０Ｂを平面らせん形蛍光ランプ２０Ｂに取付けることができる。これにより、取手部４１を把持して作業でき、作業時に発光管２１に負荷をかけて破損するのを防止して作業性を改善することができる。また、作業後には、取手部４１付のランプホルダ４０Ｂを平面らせん形蛍光ランプ２０Ｂから取り外すことができるので、外観意匠性を害しない。
なお、ランプホルダ４０Ｂ（少なくとも発光管把持部４２Ｂ）は、発光管２１の端部を把持するため、耐熱性のある材質で形成するのが望ましい。また、耐熱性の透明な材質で形成することもできる。
【００２３】
なお、本発明の照明器具は、前述した各実施形態に限定されるものでなく、適宜な変形，改良等が可能である。
【図面の簡単な説明】
【００２４】
【図１】本発明の第１の実施の形態にかかる照明器具をしめす斜視図
【図２】（Ａ）は第１実施形態にかかる平面らせん形蛍光ランプの平面図、（Ｂ）は平面らせん形蛍光ランプの側面図
【図３】（Ａ）は第２実施形態にかかる平面らせん形蛍光ランプの平面図、（Ｂ）は平面らせん形蛍光ランプの側面図
【図４】（Ａ）従来の照明器具に用いられる平面らせん形蛍光ランプを照射方向から見た斜視図、（Ｂ）同じく照射反対方向から見た斜視図
【符号の説明】
【００２５】
１０  照明器具
２０  平面らせん形蛍光ランプ
２１  発光管
３０  器具本体
３１  点灯装置
４０  ランプホルダ
４１  取手部
【図１】
2010003561.tif 000003
【図２】
2010003561.tif 000004
【図３】
2010003561.tif 000005
【図４】
2010003561.tif 000006